(57)【要約】【課題】  設定したマーキング位置が、再生開始を希望する位置とずれてしまっても、簡単な操作でブックマークの設定とブックマークからの再生が可能なブックマーク機能付き装置を提供する。【解決手段】  マーキング時にマーキング処理部６と所定時間設定処理部７によりマーキング位置の前後の所定時間を記憶手段１１に記憶し、マーキング表示時にはマーキング部分の映像音声を映像音声記憶処理部８と再生制御処理部９によりリピート再生させ、ユーザーが決定した瞬間の場面の位置から通常の再生を開始する。マーキング位置の前後の所定時間を設定できる。マーキング部分の映像音声情報を記憶手段１１へ記憶せずに、マーキング表示時に記録再生媒体３からリピート再生させても良い。【選択図】      図１
2005276329.tif 000002
【特許請求の範囲】
【請求項１】
映像音声情報を記録再生媒体に記録又は再生する装置であって、再生位置を指示するため記録媒体にマーキング位置を記録できる記録／再生装置において、当該マーキング位置の記録と同時に、その前後に所定の設定時間幅を記録できるようにしたことを特徴とする記録／再生装置。
【請求項２】
請求項１記載の記録／再生装置において、前記マーキング位置の前後所定時間分の映像音声情報を再生処理できる再生制御処理部を備え、ユーザーが再生されている任意の映像音声の一箇所を選択して指示した場合には、その瞬間の場面の位置を記録再生媒体の正確な再生位置として記憶させることを特徴とする記録／再生装置。
【請求項３】
請求項２記載の記録／再生装置において、前記再生制御処理部が通常の再生処理だけでなくマーキング部分のリピート再生処理も行うことのできることを特徴とする記録／再生装置。
【請求項４】
映像音声を表示する表示部と、表示部へ送る映像信号や音声信号の各処理を行う表示処理部と、映像音声情報を記録再生媒体に記録又は再生する処理を行うことができ、映像音声信号を表示処理部へ送る映像音声信号処理部と、マーキング位置とそれに対応した部分の映像音声画面を同時表示させる選択画面や、メニュー画面、ＯＳＤ表示など表示部に表示するための処理の制御を行う表示制御部と、リモコン入力の指示の判別や動作制御などを行い、マーキング処理部と所定時間設定処理部と再生制御処理部の各処理部と表示制御部など全体の制御を行う制御部と、マーキング位置情報を記憶することのできる記憶手段と、ユーザーからのマーキング位置設定の指示によりマーキングを行いマーキング位置情報を記憶手段に記憶させ、ユーザーからのマーキング位置読み出し指示により記録再生媒体内の指定したマーキング部分の映像音声情報を表示制御部へ渡すマーキング処理部と、ブックマークとしてマーキング位置の前後の所定時間の設定を行う所定時間設定処理部と、通常の再生処理だけでなくマーキング部分のリピート再生処理も行うことのできる再生制御処理部とを備え、設定されたマーキング位置を表示することができ、マーキング位置の中からユーザーがリピート再生されている任意の映像音声の一箇所を選択した場合はその瞬間の場面の位置から記録再生媒体の通常の再生を開始させることができることを特徴とするブックマーク機能付き装置。
【請求項５】
上記した所定時間設定処理部により、ユーザーの指示のあったマーキング位置の何秒前から何秒後までの所定時間であるかを設定することができることを特徴とする請求項１、２、３又は４記載のブックマーク機能付き装置。
【発明の詳細な説明】
【技術分野】
【０００１】
この発明は、ＤＶＤやハードディスク等の記録再生媒体から映像音声を再生できる装置において、ユーザーが希望する正確な位置から再生を開始することのできる、ブックマーク機能付き装置に関するものである。
【背景技術】
【０００２】
従来、ユーザーが再生を希望する目的の部分を探す手段としては、たとえば、ステップ送り操作に応じて所定時間分前方か後方の位置から再生を行う特開平９−１４７５３４の再生装置や、再生開始時間から終了時間までスロー再生のリピートを行う特開２００２−１５２６３５の記録再生装置や、ユーザーからの簡単操作で再生ポイントを所定時間分前に移動できる特開２００２―２６９９１４の再生装置や、指定した再生位置より前の時点に戻してスロー再生を行う特開平６―２５９８３２の再生装置などがある。
【特許文献１】特開平９−１４７５３４
【特許文献２】特開２００２−１５２６３５
【特許文献３】特開２００２−２６９９１４
【特許文献４】特開平６―２５９８３２
【発明の開示】
【発明が解決しようとする課題】
【０００３】
上記の、特開平９−１４７５３４の再生装置は再生している位置から前か後ろに所定間隔を飛び越えた位置に再生を移すだけであり、特開２００２―２６９９１４の再生装置は再生ポイントを移動させるだけであり、特開２００２―２６９９１４の再生装置は再生位置を前に戻してスロー再生にするだけであり、これらはブックマーク機能ではない。特開平２００２−１５２６３５の記録再生装置のブックマーク機能は、一般的に行われているマーキングの技術である。
【０００４】
従来のブックマーク機能には２つの問題点あげることができる。１つは、ユーザーの希望する再生開始位置とマーキング位置にずれが生じてしまい、正確性に欠けるという点である。流れる映像を見ながらここだと思って指を動かしてキー操作を行うため時間差が生まれて希望する位置がマーキング位置よりも前になってしまう場合と、希望するシーン（場面）は合っているがキー操作を押すのが早すぎて希望する位置がマーキング位置よりも後ろになってしまう場合とがある。これは、スロー再生中にマーキング位置設定するような場合でも同じである。１つは、希望する位置とマーキング位置がずれてマーキング位置から再生しても希望した位置ではない場合に、ユーザー自身の操作によって前や後ろを探さなければならず、操作が面倒で無駄な時間がかかる点である。
【０００５】
本発明は、上記した問題を解決し、簡単な操作で素早く正確なマーキング位置設定と再生ができるブックマーク機能付き装置を提供することを目的とする。
【課題を解決するための手段】
【０００６】
請求項１に係る本発明の記録／再生装置は、映像音声情報を記録再生媒体に記録又は再生する装置であって、再生位置を指示するため記録媒体にマーキング位置を記録できる記録／再生装置において、当該マーキング位置の記録と同時に、その前後に所定の設定時間幅を記録できるようにしたことを特徴とする。
これにより本発明のブックマーク機能付き装置は、映像音声を表示する表示部と、表示部へ送る映像信号や音声信号の各処理を行う表示処理部と、映像音声情報を記録再生媒体に記録又は再生する処理を行うことができ、映像音声信号を表示処理部へ送る映像音声信号処理部と、マーキング位置とそれに対応した部分の映像音声画面を同時表示させる選択画面や、メニュー画面、ＯＳＤ表示など表示部に表示するための処理の制御を行う表示制御部と、リモコン入力の指示の判別や動作制御などを行い、マーキング処理部と所定時間設定処理部と映像音声記憶処理部と再生制御処理部の各処理部と表示制御部など全体の制御を行う制御部と、マーキング位置情報とマーキング部分の映像音声情報又は画像情報を記憶することのできる記憶手段と、ユーザーからのマーキング位置設定の指示によりマーキングを行いマーキング位置情報とマーキング部分の映像音声情報又は画像情報を記憶手段に記憶させ、ユーザーからのマーキング位置読み出し指示により記憶手段内の指定したマーキング部分の映像音声情報又は画像情報を表示制御部へ渡すマーキング処理部と、ブックマークとしてマーキング位置の画像情報を記憶するかマーキング位置前後の所定時間の映像音声を記憶するかの選択とマーキング部分の映像音声情報の記憶を選択した場合のマーキング位置の前後の所定時間の設定を行う所定時間設定処理部と、マーキング位置の前後所定時間分の映像音声情報を記憶手段に書き込み呼び出す制御を行う映像音声記憶処理部と、通常の再生処理だけでなくマーキング部分のリピート再生処理も行うことのできる再生制御処理部とを備え、設定されたマーキング位置を表示することができ、マーキング位置の中からユーザーが任意の画像を選択した場合はその画像のマーキング位置から記録再生媒体の通常の再生を開始させることができ、マーキング位置の中からユーザーがリピート再生されている任意の映像音声の一箇所を選択した場合はその瞬間の場面の位置から記録再生媒体の通常の再生を開始させることができることを特徴とする。
【０００７】
請求項２に係る本発明の記録／再生装置は、請求項１記載の記録／再生装置において、前記マーキング位置の前後所定時間分の映像音声情報を再生処理できる再生制御処理部を備え、ユーザーが再生されている任意の映像音声の一箇所を選択して指示した場合には、その瞬間の場面の位置を記録再生媒体の正確な再生位置として記憶させることを特徴とする。
これにより請求項２に係る本発明のブックマーク機能付き装置は、映像音声を表示する表示部と、表示部へ送る映像信号や音声信号の各処理を行う表示処理部と、映像音声情報を記録再生媒体に記録又は再生する処理を行うことができ、映像音声信号を表示処理部へ送る映像音声信号処理部と、マーキング位置とそれに対応した部分の映像音声画面を同時表示させる選択画面や、メニュー画面、ＯＳＤ表示など表示部に表示するための処理の制御を行う表示制御部と、リモコン入力の指示の判別や動作制御などを行い、マーキング処理部と所定時間設定処理部と映像音声記憶処理部と再生制御処理部の各処理部と表示制御部など全体の制御を行う制御部と、マーキング位置情報とマーキング部分の映像音声情報を記憶することのできる記憶手段と、ユーザーからのマーキング位置設定の指示によりマーキングを行いマーキング位置情報とマーキング部分の映像音声情報を記憶手段に記憶させ、ユーザーからのマーキング位置読み出し指示により指定したマーキング部分の映像音声情報を表示制御部へ渡すマーキング処理部と、ブックマークとしてマーキング位置の前後の所定時間の設定を行う所定時間設定処理部と、マーキング位置の前後所定時間分の映像音声情報を記憶手段に書き込み呼び出す制御を行う映像音声記憶処理部と、通常の再生処理だけでなくマーキング部分のリピート再生処理も行うことのできる再生制御処理部とを備え、設定されたマーキング位置を表示することができ、マーキング位置の中からユーザーがリピート再生されている任意の映像音声の一箇所を選択した場合はその瞬間の場面の位置から記録再生媒体の通常の再生を開始させることができることを特徴とする。
【０００８】
請求項３に係る本発明の記録／再生装置は、請求項２記載の記録／再生装置において、前記再生制御処理部が通常の再生処理だけでなくマーキング部分のリピート再生処理も行うことのできることを特徴とする。
これにより請求項３に係る本発明のブックマーク機能付き装置は、映像音声を表示する表示部と、表示部へ送る映像信号や音声信号の各処理を行う表示処理部と、映像音声情報を記録再生媒体に記録又は再生する処理を行うことができ、映像音声信号を表示処理部へ送る映像音声信号処理部と、マーキング位置とそれに対応した部分の映像音声画面を同時表示させる選択画面や、メニュー画面、ＯＳＤ表示など表示部に表示するための処理の制御を行う表示制御部と、リモコン入力の指示の判別や動作制御などを行い、マーキング処理部と所定時間設定処理部と再生制御処理部の各処理部と表示制御部など全体の制御を行う制御部と、マーキング位置情報を記憶することのできる記憶手段と、ユーザーからのマーキング位置設定の指示によりマーキングを行いマーキング位置情報を記憶手段に記憶させ、ユーザーからのマーキング位置読み出し指示により記録再生媒体内の指定したマーキング部分の映像音声情報又は画像情報を表示制御部へ渡すマーキング処理部と、ブックマークとして画像のあるマーキング位置を記憶するか映像音声のある所定時間のマーキング位置を記憶するかの選択と映像音声のある所定時間のマーキング位置の記憶を選択した場合のマーキング位置の前後の所定時間の設定を行う所定時間設定処理部と、通常の再生処理だけでなくマーキング部分のリピート再生処理も行うことのできる再生制御処理部とを備え、設定されたマーキング位置を表示することができ、マーキング位置の中からユーザーが任意の画像を選択した場合はその画像のマーキング位置から記録再生媒体の通常の再生を開始させることができ、マーキング位置の中からユーザーがリピート再生されている任意の映像音声の一箇所を選択した場合はその瞬間の場面の位置から記録再生媒体の通常の再生を開始させることができることを特徴とする。
【０００９】
請求項４に係る本発明のブックマーク機能付き装置は、映像音声を表示する表示部と、表示部へ送る映像信号や音声信号の各処理を行う表示処理部と、映像音声情報を記録再生媒体に記録又は再生する処理を行うことができ、映像音声信号を表示処理部へ送る映像音声信号処理部と、マーキング位置とそれに対応した部分の映像音声画面を同時表示させる選択画面や、メニュー画面、ＯＳＤ表示など表示部に表示するための処理の制御を行う表示制御部と、リモコン入力の指示の判別や動作制御などを行い、マーキング処理部と所定時間設定処理部と再生制御処理部の各処理部と表示制御部など全体の制御を行う制御部と、マーキング位置情報を記憶することのできる記憶手段と、ユーザーからのマーキング位置設定の指示によりマーキングを行いマーキング位置情報を記憶手段に記憶させ、ユーザーからのマーキング位置読み出し指示により記録再生媒体内の指定したマーキング部分の映像音声情報を表示制御部へ渡すマーキング処理部と、ブックマークとしてマーキング位置の前後の所定時間の設定を行う所定時間設定処理部と、通常の再生処理だけでなくマーキング部分のリピート再生処理も行うことのできる再生制御処理部とを備え、設定されたマーキング位置を表示することができ、マーキング位置の中からユーザーがリピート再生されている任意の映像音声の一箇所を選択した場合はその瞬間の場面の位置から記録再生媒体の通常の再生を開始させることができることを特徴とする。
【００１０】
請求項５に係る本発明のブックマーク機能付き装置は、請求項１、２、３又は４に記載の発明において、上記した所定時間設定処理部により、ユーザーの指示のあったマーキング位置の何秒前から何秒後までの所定時間であるかを設定することができることを特徴とする。
【発明の効果】
【００１１】
本発明によれば、ユーザーは、ＤＶＤやハードディスクなどの再生時、任意の部分にブックマークのマーキングをおこなうことができ、ユーザーの希望した位置とマーキング位置に多少ずれがあっても、簡単に希望の位置の確認と再生位置の指定が可能である。再生中に後で再生の開始を希望する場面があった段階でマーキング位置設定を行い、その後に希望するマーキング位置を指定することで、マーキング位置の前後の所定時間の映像音声をリピート再生で表示でき、所定時間の映像音声のリピート再生を見ながら希望する位置で再生開始を決定することにより、その瞬間の場面の位置から通常の再生を開始させることができる。
【００１２】
これまで希望の位置のマーキングをリピート再生にて確認することができる装置はなかった。再生中に行うマーキング位置設定は、始点と終点の２箇所を指定する操作は不要で、キー操作１回だけで完了する。１点のマーキング位置を指定するだけで前後の所定時間のマーキングができるので、操作が簡単である。ブックマークを所定時間の映像音声のリピート再生で表示する機能と、希望する位置を狙って通常再生を開始させる、いわばシュート再生の機能を有している。操作は、マーキング位置設定の操作に１アクション、マーキング位置の前後の所定時間をリピート再生させたならば、希望する位置を見定め再生開始決定の操作に１アクション、以上で済んでしまう。
操作が簡単でユーザーフレンドリーである。リピート再生表示は、マーキング位置の所定時間前から所定時間後まで、ユーザーの操作があるまで繰り返す。本発明におけるブックマーク機能は、再生開始を希望する位置がユーザーの設定したマーキング位置より前でも後でも、どちらの場合でも対応できる。ユーザーがマーキング位置よりも前から再生を開始したい場合や、後から再生を開始したい場合も、対応できる。ブックマーク位置設定と表示と希望した位置からの再生が、簡単な操作で正確に素早く実行できる。
【００１３】
請求項１又は２の発明によれば、マーキング位置の前後の所定時間の映像音声情報を、マーキング位置設定時に記憶手段に記憶してあるため、マーキング部分の迅速なリピート再生が可能である。
【００１４】
請求項３又は４の発明によれば、マーキング位置情報だけを記憶手段に記憶し、映像音声情報はマーキング位置読み出しの指示があった段階で記録再生媒体からマーキング位置の前後の所定時間分を判断して、リピート再生表示させることができる。記憶手段のメモリが音声映像情報でパンクする恐れがない。
【００１５】
請求項１又は３の発明によれば、所定時間設定により、ブックマークとしてマーキング位置の前後の所定時間をリピート再生した映像音声が表示されるようになるのか、ブックマークとしてマーキング位置の画像が表示されるようになるのか、どちらかを選んで切り替えることができる。
【００１６】
請求項５の発明によれば、再生中にユーザーがマーキング位置設定をした場合にマーキング位置の何秒手前からマーキング位置の何秒後までをマーキング範囲とすることができるかを設定することができる。設定の変更はいつでも可能である。前後の秒数は、前後を等しく前１０秒から後１０秒までの２０秒間程度をとれば大抵のユーザーの要求を満足できるかもしれないが、それはあくまで１つの目安に過ぎず、たとえば、前を短く後を長く前５秒から後１０秒までの１５秒間、前を長く後を短く前１０秒から後５秒までの１５秒間、前か後の設定を０秒として前又は後だけに所要時間を設定することなども可能であり、マーキングする所要時間の範囲はユーザーが自由に設定することができる。もし所定時間の設定がなければ、マーキング位置の画像がブックマークとして表示される設定となる。
【発明を実施するための最良の形態】
【００１７】
以下、本発明に係るブックマーク機能付き装置を実施するための最良の形態の一例について図面を参照しながら説明するが、本発明は本実施の形態にのみ限定されるべきものではない。
【００１８】
図１は、本発明に係るブックマーク機能付き装置の構成を示すブロック図である。表示部１は、映像音声を表示できるテレビやモニタなどである。表示処理部２は、映像音声信号処理部４や表示制御部５から入ってきた映像信号や音声信号の各処理を行い表示部へ送る。映像音声信号処理部４は、ＤＶＤやハードディスクなどの記録再生媒体３へ記録又は再生する処理を行い、映像音声信号を表示処理部２へ送る。映像音声信号処理部４では、映像音声情報を記録再生媒体３へ記録再生する時の圧縮、解凍、Ｄ／Ａ、Ａ／Ｄ変換などの各処理も行なう。本実施形態は、映像音声信号処理部４で処理した後、記憶されるＤＶＤレコーダ機能を有している。
【００１９】
本実施形態の装置では、マイコンの内部に、表示制御部５とマーキング処理部６と所定時間設定処理部７と映像音声記憶処理部８と再生制御処理部９と制御部１０のブロックを有しており、映像音声信号処理部４や表示処理部２や記憶手段１１やリモコン受光部などと接続されている。マイコンソフト処理が行えるため低コストで製造できる。表示制御部５は、マーキング位置とそれに対応した部分の映像音声画面を同時表示させる選択画面や、メニュー画面、ＯＳＤ表示などを表示部に表示するための処理の制御を行う役割がある。制御部１０は、リモコン入力の指示の判別や動作制御などを行い、マーキング処理部６と所定時間設定処理部７と映像音声記憶処理部８と再生制御処理部９の各処理部と表示制御部５など全体の制御を行う役割がある。
【００２０】
マーキング処理部６は、ユーザーからのマーキング位置設定の指示によりマーキングを行いマーキング位置情報とマーキング部分の映像音声情報又は画像情報を記憶手段１１に記憶させ、ユーザーからのマーキング位置読み出し指示により記憶手段１１内の指定したマーキング部分の映像音声情報又は画像情報を表示制御部５へ渡す役割がある。マーキング位置情報は、映像音声情報があるアドレスでもカウンター値でもよい。
【００２１】
所定時間設定処理部７は、ブックマークとしてマーキング位置の画像情報を記憶するかマーキング位置前後の所定時間の映像音声を記憶するかの選択とマーキング部分の映像音声情報の記憶を選択した場合のマーキング位置の前後の所定時間の設定を行う機能がある。所定時間は、ユーザー設定が可能であるが、固定値を用いてもよい。映像音声記憶処理部８は、マーキング位置の前後の所定時間分の映像音声情報を記憶手段１１に書き込み呼び出す制御を行う部分である。
【００２２】
再生制御処理部９は、通常の再生処理と、マーキング部分のリピート再生処理を行う。記憶手段１１はマイコンに接続され、マーキング位置情報、マーキング部分の映像音声情報又は画像情報を記憶する。記憶手段１１は、装置のチャンネル情報や初期値なども記憶しておくことができる。
【００２３】
マーキングの所定時間の設定は事前に行う。図４は、所定時間設定画面の一例である。まず表示部１にメニュー画面を表示し、次にメニューの中からマーキング設定を選択し、所定時間設定画面を呼び出す。ここで、ＯＦＦに設定するとマーキングした位置の静止した画像がブックマークとして登録され、ＯＮに設定するとマーキング位置の前後の所定時間の映像音声がブックマークとして登録されるようになる。ＯＮに設定した場合は、マーキング位置の前何秒から後何秒までを所定時間とするかの設定が有効となる。ここでは、前を１０秒、後を１０秒、合計２０秒の所定時間と設定する。
【００２４】
普段はテレビやＤＶＤやハードディスクを普通に視聴できる。ＤＶＤやハードディスクなどの記録再生媒体３に記録されている映像音声情報の再生中に、ブックマークのマーキングを行うことができる。後で再生を開始したい位置でリモコン送信機のマーキングキー（図１参照）を押すだけの簡単な操作で、マーキング位置を設定できる。
【００２５】
図２は、本実施形態の装置のマーキング位置設定におけるフローチャートである。まず「再生中」に、マーキングキーを押すと「ユーザーよりマーキング指示有？」はＹＥＳで、「指示があったタイミングのマーキング位置情報取得し記憶手段に記憶」を行い、その場合「所定時間設定有？」が、ＮＯならば「指示があったマーキング位置に対応する画像情報を記憶」し、ＹＥＳならば「マーキング位置の前後所定時間分に対応する映像音声情報を記憶」する。マーキングは何箇所にでも設定できる。
【００２６】
図６はブックマーク表示画面の一例であり、図３はブックマーク表示におけるフローチャートの一例である。まず「再生中」に、リモコン送信機の操作により表示部１にブックマーク表示画面を呼び出す。すると、マーキング位置のリスト一覧が表示される。マーキング位置の映像音声や画像の表示は、カーソルなどで選択したものだけでもよいし、すべてを一覧表示させてもよいし、一覧表示の中で選択したものだけを拡大してもよい。マーキングはチャプター毎でも行えるので、各チャプター毎に細かく表示してもよい。ブックマークのマーキングは複数記憶でき、そのマーキングに対応したリピート再生と一覧表示も可能で、その一覧表示から任意のマーキング位置を指定することが可能である。
【００２７】
本実施の形態では画面の左にマーキング位置の一覧リストを表示し、右画面にはカーソルで選択したマーキング位置に対応した映像又は画像を表示する。この場合のフローチャートが図３である。「再生中」に、マーキング位置を１つ選ぶと「ユーザーよりマーキング位置の表示要求有？」がＹＥＳで、「選択されたマーキング位置の情報を記憶手段に読み込みにいく」を行い、「所定時間設定有？」が、ＹＥＳならば「マーキング位置から所定時間分対応した映像音声情報を取得しリピート再生を行い表示する」、ＮＯならば「マーキング位置に対応した画像情報を取得し静止画像を表示する」。図６では、リストナンバー１のマーキング位置〔００：１２：０８〕を選択した状態である。このマーキングに前１０秒から後１０秒までの前後の所定時間が設定されていたならば所定時間２０秒〔００：１１：５８〜００：１２：１８〕の映像音声がリピート再生で表示され、所定時間が設定されていなければ〔００：１２：０８〕位置の画像が静止画像で表示される。
【００２８】
図５は本発明のブックマーク機能と再生開始をあらわしている。「映像音声の流れ」とあるのは、記憶再生媒体３を右から左に向かって再生している様子である。「再生開始の希望位置」とは、ユーザーが再生中に後で再生開始をしたいと望んだ正確な位置、「再生開始の希望映像」とは、ユーザーが再生中に後で再生したいと望んだ映像、「マーキング位置」は、ユーザーが実際にマーキングキーを押してマーキング位置が設定された位置である。映像音声の流れがあるので、「マーキング位置」は図に示したように「再生開始の希望位置」より後にずれて設定されることが多い。再生終了後に、この「マーキング位置」のブックマークを表示すると、前後の所定時間設定がＯＮの状態でマーキング位置が設定されたのであればマーキング位置前後の設定所定時間の「動画」が「映像音声リピート再生表示」され、「再生開始の希望位置」を狙って再生を決定すれば、決定した位置、つまり「再生開始の希望位置」から記録再生媒体３の「再生開始」が実行され通常の再生の状態となる。
【００２９】
リピート再生中に希望位置があれば任意のＥＮＴＥＲキーや再生キーを押すことで通常の再生に移行できる。しかし、マーキング時の「再生開始の希望位置」から再生を開始することにこだわる必要がなければ、リピート再生される所定時間の映像音声のどこでも好きな位置を選んで再生開始を決定することができる。所定時間設定がＯＦＦの状態でマーキング位置が設定されたのであればマーキング位置の画像が「画像表示」され、この画像を選択する決定を行えば「マーキング位置」から記録再生媒体３の「再生開始」が実行され通常の再生の状態となる。
【００３０】
記録再生媒体３の映像音声情報へのアクセスが速く速度的に問題がなければ、記録再生媒体３に記憶するのはマーキング位置だけでもよく、その場合、マーキング部分の表示要求により前後の所定時間の映像音声情報を判断して記録再生媒体３からリピート再生を行っても良い。この処理においては映像音声記憶処理部８を介する必要はない。前記した装置をそのまま使用してこの処理を行うことも可能である。
【００３１】
マーキング位置情報とマーキングした所定時間分の映像音声情報又は画像情報を記憶手段１１に記憶するが、記録再生媒体３のメモリを利用して記憶させても良い。その場合、部品を１つ省略化でき、小型化軽量化だけでなく低コスト化も図ることができる。
【００３２】
ブックマーク表示に画像を用いず、映像音声のリピート表示だけを用いるブックマーク機能付き装置とすることも可能である。
【図面の簡単な説明】
【００３３】
【図１】本発明に係る装置の構成例をあらわすブロック図である。
【図２】本発明に係る装置におけるマーキング位置設定の一例をあらわすフローチャートである。
【図３】本発明に係る装置におけるブックマーク表示の一例をあらわすフローチャートである。
【図４】所定時間設定画面の一例をあらわす説明図である。
【図５】本発明におけるブックマーク機能と再生開始をあらわす説明図である。
【図６】マーキング位置表示画面の一例をあらわす説明図である。
【符号の説明】
【００３４】
１  表示部
２  表示処理部
３  記録再生媒体
４  映像音声信号処理部
５  表示制御部
６  マーキング処理部
７  所定時間設定処理部
８  映像音声記憶処理部
９  再生制御処理部
１０  制御部
１１  記憶手段
【図１】
2005276329.tif 000003
【図２】
2005276329.tif 000004
【図３】
2005276329.tif 000005
【図４】
2005276329.tif 000006
【図５】
2005276329.tif 000007
【図６】
2005276329.tif 000008